(57)【特許請求の範囲】
【請求項１】
放送された番組を視聴するとともに、録画装置にて録画する機能を有するテレビジョン装置において、
視聴時の音量値を設定する音量設定部と、
該設定された音量値に従って出力する音声を調整する音声制御部と、
表示する映像に字幕を合成する映像合成部と、
上記設定された音量値を予め定めた閾値と比較する音量比較部と、
上記録画装置への番組の録画と再生を制御する録画制御部とを備え、
上記音量比較部は、上記設定された音量値が上記閾値よりも小さい場合、あるいは消音モードに設定された場合、上記録画制御部に録画開始の指示信号を送り、上記録画装置にて現在視聴中の番組の録画を開始させることを特徴とするテレビジョン装置。
【請求項２】
請求項１に記載のテレビジョン装置であって、
前記音量比較部の指示により前記録画装置にて録画がなされている期間において、
上記音量比較部は、新たに設定された音量値が上記閾値よりも大きい場合、あるいは消音モードが解除された場合、現在視聴中の番組の表示を停止し、上記録画制御部に再生開始の指示信号を送り、録画開始時点に遡って録画した番組の再生表示を開始させることを特徴とするテレビジョン装置。
【請求項３】
請求項２に記載のテレビジョン装置であって、
番組に含まれている字幕の表示を制御する字幕制御部を備え、
前記音量比較部は、前記設定された音量値が上記閾値よりも小さい場合、あるいは消音モードに設定された場合、上記字幕制御部に字幕表示ＯＮの指示信号を送り、現在視聴中の番組の字幕を表示させ、
新たに設定された音量値が上記閾値よりも大きい場合、あるいは消音モードが解除された場合、上記字幕制御部に字幕表示ＯＦＦの指示信号を送り、現在視聴中の番組の字幕を消去させることを特徴とするテレビジョン装置。
【請求項４】
請求項２に記載のテレビジョン装置であって、
前記音量比較部の指示により前記録画装置にて録画した番組の再生表示を行う場合、前記録画制御部は、再生時間を通常よりも短縮して再生する短縮再生モードを有することを特徴とするテレビジョン装置。
【請求項５】
請求項４に記載のテレビジョン装置であって、
前記短縮再生モードとして、録画した番組に字幕データが含まれる場合、前記映像合成部は字幕データと同提示時刻に対応する静止画を組にしたスライド画面を作成し、字幕データがない期間の映像をスキップして表示することを特徴とするテレビジョン装置。
【請求項６】
請求項４に記載のテレビジョン装置であって、
前記短縮再生モードとして、前記音声制御部により録画した番組から音声の有／無区間を判別し、前記映像合成部は、音声情報が含まれていない無音区間について番組をスキップして再生することを特徴とするテレビジョン装置。
【請求項７】
請求項４ないし６のいずれか１項に記載のテレビジョン装置であって、
再生する番組のジャンルを検出する番組情報処理部を備え、
検出したジャンルに応じて当該番組の短縮再生モードを選択することを特徴とするテレビジョン装置。
【発明の詳細な説明】
【技術分野】
【０００１】
本発明は、録画機能を有するテレビジョン装置に関する。
【背景技術】
【０００２】
テレビジョン装置（以下、テレビと略す）の近くに電話機が設置された環境において、テレビ放送を視聴している最中に突然電話がかかってきたような場合、ユーザは電話機での通話をし易くするために、通話している期間テレビの音量を下げたり、消音モード（ミュート）に切り替えたりすることが多い。また、テレビ放送を視聴中に突然の来客があった場合などは、その応対のために放送番組の一部を見逃してしまうケースが出てくる。このような場合、ユーザは中断後の番組の視聴を継続しても、その内容が十分に理解できないまま番組が終了してしまう場合が多い。
【０００３】
この対策の１つとして、字幕表示を用いる方法が提案されている。
例えば特許文献１には、プログラム（番組）を見ている途中で電話がかかってきたような場合においてもその内容を理解できるようにするため、オーディオ信号をミュートしたとき、字幕信号を出力する字幕信号出力手段を備えたテレビジョン受像機が開示される。この構成によれば、視聴者は、オーディオ信号の代わりに字幕を見て、プログラムの内容を確認することができると述べられている。
【０００４】
また特許文献２には、音量の設定値に応じて字幕情報を自動制御することにより、違和感や不快感なく視聴を楽しむために、字幕表示の表示状態を制御する字幕表示制御手段を備えたテレビジョン装置が開示される。この字幕表示制御手段により、音量設定手段が設定した音量値と予め定めた音量の閾値とを比較し、設定した音量値が閾値以下であるときには字幕情報を表示し、閾値より大きいときは字幕情報を表示しないようにする。この構成によれば、テレビの音量が小さい環境でも、新たな字幕表示操作等を必要とすることなく、ユーザはテレビから出力される内容を理解することができると述べられている。
【０００５】
他の対策として、録画機能を有するテレビジョン装置、あるいは録画装置と接続されたテレビジョン装置の場合、その録画機能を利用する方法である。すなわち、ユーザは電話や来客を受けたとき、視聴していた番組の続きを記録媒体に録画し、後でこれを再生して中断した期間の番組を視聴するものである。
【０００６】
【特許文献１】特開平７−４６５００号公報
【特許文献２】特開２００７−８１４９６号公報
【発明の開示】
【発明が解決しようとする課題】
【０００７】
テレビを視聴中にその音量を一時的に小さくしたり、消音モードに切り替えたりする必要が生じた場合、テレビの視聴を継続する代替方法として、字幕情報を利用した画面表示は有効である。しかしながら字幕表示方法は、人間の会話などには有効であるが音楽番組のような場合には全く無効である。
【０００８】
また、視聴を中断した期間の番組を録画し、後で再生する方法は、番組の内容を問わず有効である。しかしながら、ユーザはテレビの音量の操作とともに、録画および再生の操作をしなければならない。これらの操作を迅速に誤りなく行わねばならず、ユーザにとって煩雑で使い勝手の悪いものと言える。
【０００９】
本発明は、このような状況を鑑みてなされたものであり、その目的は、番組視聴中に突然の電話や来客があったときでも、ユーザが煩わしい操作を行うことなく、中断した期間の番組を再現して視聴できるテレビジョン装置を提供することにある。
【課題を解決するための手段】
【００１０】
本発明は、録画装置にて録画する機能を有するテレビジョン装置であって、視聴時の音量値を設定する音量設定部と、設定された音量値に従って出力する音声を調整する音声制御部と、表示する映像に字幕を合成する映像合成部と、設定された音量値を予め定めた閾値と比較する音量比較部と、録画装置への番組の録画と再生を制御する録画制御部とを備える。音量比較部は、設定された音量値が閾値よりも小さい場合、あるいは消音モードに設定された場合、録画制御部に録画開始の指示信号を送り、録画装置にて現在視聴中の番組の録画を開始させる。
【００１１】
また、音量比較部の指示により録画装置にて録画がなされている期間において、新たに設定された音量値が閾値よりも大きい場合、あるいは消音モードが解除された場合、現在視聴中の番組の表示を停止し、録画制御部に再生開始の指示信号を送り、録画開始時点に遡って録画した番組の再生表示を開始させる。
【００１２】
さらに、録画した番組の再生表示を行う場合、録画制御部は、再生時間を通常よりも短縮して再生する短縮再生モードを有する。
【発明の効果】
【００１３】
本発明によれば、ユーザが煩わしい操作を行うことなく、中断した期間の番組を再現して視聴できる。また、中断した番組の内容を損なわずに短時間で視聴できるので、使い勝手に優れる。
【発明を実施するための最良の形態】
【００１４】
以下、本発明のテレビジョン装置の実施の形態を図面を用いて説明する。
【実施例１】
【００１５】
図１は、本発明によるテレビジョン装置の一実施例の構成を示すブロック図である。
アンテナ１０１で受信したデジタル放送波はチューナ１０２に入力され、所望のチャンネルを選局した後、中間周波信号（ＩＦ信号）に変換される。復調部１０３はＩＦ信号（デジタル変調信号）を復調し、ＴＳ（トランスポートストリーム）を出力する。このＴＳの中には、映像や音声の他、データコンテンツが多重されている。主制御部１０４は受信したＴＳをＴＳ多重分離部１２１で分離し、映像、音声及び字幕・文字スーパーデータの各ＰＥＳ（Ｐａｃｋｅｔｉｚｅｄ  Ｅｌｅｍｅｎｔａｒｙ  Ｓｔｒｅａｍ）をデコード部１０９，１１０，１１１へ送る。また、番組内容やジャンル情報を含んだＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）を番組情報処理部１１５へ送る。ここでは、ＭＰＥＧ２やＨ．２６４等の形式で符号化されたストリームをデコード（復号化）する。
【００１６】
音声デコード部１０９でデコードされた音声データは、音声制御部１１２で処理され、主制御部１０４からの制御により音質や音量の調整がなされる。
映像デコード部１１０でデコードされた映像データは、映像合成部１１３で処理され、主制御部１０４からの制御により各種の画質調整が施され、字幕制御部１１４からの字幕信号を合成した後、ＬＶＤＳ（Ｌｏｗ  Ｖｏｌｔａｇｅ  Ｄｉｆｆｅｒｅｎｔｉａｌ  Ｓｉｇｎａｌｉｎｇ）に変換される。
【００１７】
字幕デコード部１１１でデコードされた字幕・文字データは、字幕制御部１１４で処理され、主制御部１０４からの字幕表示のＯＮ／ＯＦＦ設定に応じて、そのデータを映像合成部１１３に送られ、映像信号と合成される。
音声制御部１１２と映像合成部１１３で処理された音声信号と映像信号は、スピーカ１１８および表示装置１１９に送られ、音声と映像が出力、表示される。
【００１８】
本実施例のテレビジョン装置は、さらに録画機能を有する。録画装置１１７は受信したテレビ放送の番組をＨＤＤなどの記録媒体に録画し、録画制御部１１６は録画装置１１７の録画と再生の動作を制御する。録画装置１１７はテレビジョン装置に内蔵しても良いし、あるいは外部に接続したものでもよい。ただし外部接続の場合は、テレビジョン装置の録画制御部１１６により制御が可能となっている。番組情報処理部１１５は、ＴＳ多重分離部１２１から受け取ったＰＳＩ／ＳＩからＥＰＧ（電子番組表）情報を抽出し、番組録画の予約設定や自動録画に利用する。番組の録画は主制御部１０４からのＴＳを録画する。また再生されたＴＳは各デコード部１０９，１１０，１１１でデコードされて、表示装置１１９やスピーカ１１８から映像や音声を出力する。
【００１９】
本体キー１０５はユーザの操作を受け付け、その操作信号を副制御部１０８に送る。また、リモコン受光部１０６は、リモコン１０７から赤外線を受光し、ユーザが操作した信号を副制御部１０８に送る。副制御部１０８は、内蔵メモリを参照して、入力された赤外線信号や操作信号の種類に応じた制御信号を主制御部１０４に送る。
【００２０】
本実施例では、リモコン１０７および本体キー１０５の操作機能として、音量アップ／ダウンキー並びに消音（ミュート）キーが設けられるとともに、録画再生の自動設定と字幕表示の自動設定の機能を有する。これに関連し、主制御部１０４には音量閾値比較部１２０を有し、ユーザが設定した音量値を予め定めた閾値と比較する。主制御部１０４はその音量の比較結果に基づき、録画制御部１１６に対し録画・再生の開始・停止の制御信号を送る。また字幕制御部１１４に対し字幕表示のＯＮ／ＯＦＦ切り替えの制御信号を送る。このようにして、ユーザの設定した音量値に連動して録画・再生を制御し、また字幕表示をＯＮ／ＯＦＦする機能を有する。
【００２１】
次に、本実施例のテレビジョン装置における録画再生および字幕表示の制御動作について説明する。
【００２２】
まず録画装置１１７での録画・再生動作に関して、ユーザが手動で録画・再生・録画予約を実行する手動モードの他に、音量の設定値に連動して自動的に録画・再生を実行する「自動録画モード」を設ける。また、字幕表示動作に関して、ユーザが手動で表示のＯＮ／ＯＦＦを切り替える手動モードの他に、音量の設定値に連動して自動的に字幕表示のＯＮ／ＯＦＦを切り替える「自動字幕モード」を設ける。
【００２３】
「自動録画モード」においては、音量閾値比較部１２０は、ユーザが設定した音量値Ａを予め定めた閾値Ａｔｈと比較する。そして、音量値Ａが閾値Ａｔｈよりも小さい場合、または消音（ミュート）に切り替えられた場合（Ａ＝０）には、録画制御部１１６に録画開始の指示信号を送り、自動的に現在視聴している番組の録画を開始させる。また、番組を録画中に、音量値Ａが閾値Ａｔｈよりも大きく設定された場合、あるいはミュートが解除された場合には、現在視聴中の番組表示を停止し、録画制御部１１６に再生開始の指示信号を送り、自動的に録画開始時点に遡って録画した番組の再生表示を開始させる。その際録画装置１１７では、現在受信中の番組を継続して録画させることで、いわゆる「追いかけ再生」を実現し番組を中断することなく視聴することができる。
【００２４】
同様に「自動字幕モード」においては、音量値Ａが閾値Ａｔｈよりも小さい場合、またはミュートに切り替えられた場合（Ａ＝０）には、字幕制御部１１４に字幕表示ＯＮの指示信号を送り、自動的に現在視聴している番組の字幕を表示させる。また、音量値Ａが閾値Ａｔｈよりも大きく設定された場合、あるいはミュートが解除された場合には、字幕表示ＯＦＦの指示信号を送り、自動的に現在視聴している番組の字幕を消去させる。
【００２５】
「自動録画モード」を設けたことにより、ユーザはテレビを視聴中に突然の電話や来客を受けたとき、その応対のために視聴していたテレビの音量を小さくしたり、あるいは消音（ミュート）状態に切り替えると、視聴していた番組の続きを自動的に録画装置１１７の記録媒体に録画する。そして、電話や来客の応対が終了してテレビの音量を大きくしたり、あるいはミュートを解除すると、自動的に中断した期間の番組が再生されこれを視聴することができる。
【００２６】
よって、番組視聴中に突然の電話や来客があったときでも、ユーザは煩わしい操作を行うことなく、中断した期間の番組を再現して視聴することができる。
また「自動字幕モード」を設けたことにより、ユーザがテレビの音量を小さくしたりミュート状態に切り替えても、視聴していた番組の続きを字幕表示である程度理解することができるので、番組の内容やユーザの置かれた状況によっては便利である。
【００２７】
図２と図３は、本実施例における自動録画モードおよび自動字幕モードの制御を示すフローチャートであり、図２は制御の前半、図３は制御の後半である。
【００２８】
図２において、ユーザはある番組を視聴しているものとする。
ステップ２０１では、ユーザによりリモコン１０７（または本体キー１０５）の音量ダウンキーの操作、あるいはミュートキーの操作を検出する。いずれかが操作されると、ステップ２０２では、音量閾値比較部１２０は、設定された音量値Ａと予め定めた閾値Ａｔｈを比較する。比較の結果、音量値Ａが閾値Ａｔｈよりも小さい場合には、ステップ２０３とステップ２０５に進む。音量値Ａが閾値Ａｔｈよりも大きい場合には、ステップ２０１に戻り次の音量操作を待機する。
【００２９】
ステップ２０３では、リモコン１０７等により録画・再生モードが「自動録画モード」（ＡＵＴＯ）に設定されているかどうか判定する。ＡＵＴＯに設定されていれば、ステップ２０４に進み、録画制御部１１６に録画開始の指示信号を送り、録画装置１１７にて現在視聴している番組の録画を開始させる。ＡＵＴＯに設定されていなければ（手動モード）、ステップ２０１に戻り次の音量操作を待機する。
【００３０】
またステップ２０５では、リモコン１０７等の字幕表示モードが「自動字幕モード」（ＡＵＴＯ）に設定されているかどうか判定する。ＡＵＴＯに設定されていれば、ステップ２０６に進み、字幕制御部１１４に字幕表示ＯＮの指示信号を送り、表示装置１１９に現在視聴している番組の字幕を表示させる。ＡＵＴＯに設定されていなければ（手動モード）、ステップ２０１に戻り次の音量操作を待機する。
【００３１】
以上より、「自動録画モード」または「自動字幕モード」が選択され、ユーザにより音量値が閾値よりも小さく設定されると、自動的に視聴中の番組の録画と字幕表示が開始される。
【００３２】
次に図３は、図２の結果、視聴中の番組の録画と字幕表示がなされているものとする。
ステップ３０１では、ユーザによりリモコン１０７（または本体キー１０５）の音量アップキーの操作、あるいはミュートキーの操作を検出する。いずれかが操作されると、ステップ３０２では、音量閾値比較部１２０は、設定された音量値Ａと予め定めた閾値Ａｔｈを比較する。比較の結果、音量値Ａが閾値Ａｔｈよりも大きい場合には、ステップ３０３とステップ３０５に進む。音量値Ａが閾値Ａｔｈよりも小さい場合には、ステップ３０１に戻り次の音量操作を待機する。
【００３３】
ステップ３０３では、リモコン１０７等により録画・再生モードが「自動録画モード」（ＡＵＴＯ）に設定されているかどうか判定する。ＡＵＴＯに設定されていれば、ステップ３０４に進み、現在視聴中の番組の表示を停止し、録画制御部１１６に再生開始の指示信号を送り、録画装置１１７にて録画した番組を録画開始時点に遡って再生表示を開始させる。その際録画装置１１７では、現在受信中の番組を継続して録画させることで、「追いかけ再生」を実現し番組を中断することなく視聴することができる。ＡＵＴＯに設定されていなければ（手動モード）、ステップ３０１に戻り次の音量操作を待機する。
【００３４】
またステップ３０５では、リモコン１０７等の字幕表示モードが「自動字幕モード」（ＡＵＴＯ）に設定されているかどうか判定する。ＡＵＴＯに設定されていれば、ステップ３０６に進み、字幕制御部１１４に字幕表示ＯＦＦの指示信号を送り、表示装置１１９にて表示している番組の字幕表示を消去させる。ＡＵＴＯに設定されていなければ（手動モード）、ステップ３０１に戻り次の音量操作を待機する。
【００３５】
以上より、「自動録画モード」または「自動字幕モード」が選択され、ユーザにより音量値が閾値よりも大きく設定されると、自動的に中断した期間の番組の再生を開始し、字幕表示を終了する。
【００３６】
音量閾値比較部１２０で用いる閾値Ａｔｈは、ユーザが適宜設定できるようにする。また、音量ダウン時（ステップ２０２）の閾値と音量アップ時（ステップ３０２）の閾値とを異ならせ、後者の値を大きくすれば切り替え制御動作が安定する。
【００３７】
本実施例によれば、番組視聴中に突然の電話や来客があったときでも、音量の設定値に連動して録画・再生機能や字幕情報の表示のＯＮ／ＯＦＦを自動的に制御する。これにより、ユーザは録画・再生の操作や字幕表示の煩わしい操作を行う必要がなく、見逃した部分の番組を再現して視聴し、また音量を小さくしても字幕により番組内容をある程度理解することができる。
【実施例２】
【００３８】
実施例１において自動録画を行った後、中断した番組を「追いかけ再生」する場合、通常の再生時間よりも再生時間を短縮して再生することで、表示装置で表示している番組を実時間放送に戻すことができる。ここでは時間短縮再生の具体的方法について述べる。
【００３９】
図４は、時間短縮再生として有効な５種の機能を説明する図である。
（１）スライド表示：録画した番組に字幕データが含まれる場合、字幕データと同提示時刻に対応する静止画（Ｉピクチャ）を組にしたスライド画面を作成する。そして、字幕データがない期間の映像をスキップすることによって、再生時間を短縮する。この場合のスライド画面作成は、図１の字幕制御部１１４と映像合成部１１３にて行うことができる。
【００４０】
（２）動き量連動再生：録画した番組から動画の動き量を検出する。動き量が小さい区間では高速に再生させ、さらに同区間の音声を圧縮して再生する。これにより、動き量が小さい区間の再生時間を短縮する。動き量の検出は、例えば映像デコード部１１０にて行うフレーム間の動き補償の情報を利用することができる。また音声の時間圧縮は、音声制御部１１２にて行う。
【００４１】
（３）無音区間スキップ：録画した番組から音声の有／無区間を判別する。そして音声情報が含まれていない無音区間については、番組をスキップ（省略）して再生表示する。これによって、無音区間の再生時間を削除することができる。音声の有無の判別は、音声制御部１１２にて、音声信号レベルを閾値と比較し、また無音時間が所定以上継続した場合に無音区間と判別するのが良い。
【００４２】
（４）可変速再生：録画した番組の再生速度を、再生開始から前半にかけては高速に行い、後半では徐々に等倍速に向けて減速する。例えば初速を３倍速として徐々に減速した場合、中断時間の約２倍の時間経過した時点で、実時間放送に追い着くことができる。可変速再生は録画制御部１１６にて調整する。
【００４３】
（５）自動再生モード：上記した各機能は、個別にあるいは組み合わせて選択しても良いが、番組のジャンルに応じて自動的に選択する「自動再生モード」を設けることもできる。ここで番組のジャンルは、番組情報処理部１１５にてＥＰＧ情報をもとに検出する。例えば、ニュース番組や天気予報といった文字情報でも十分その内容が理解できる番組の場合は、字幕表示を主とする（１）のスライド表示機能を選択する。また、音楽番組のように文字情報での再生や高倍速再生が困難な番組の場合は、（３）の無音区間スキップを選択する。「自動再生モード」によれば、再生時に番組のジャンルを判別してその番組内容を損なわずに再生時間を短縮し、「追いかけ再生」における表示番組を短時間で実時間放送に戻すことができる。
【図面の簡単な説明】
【００４４】
【図１】本発明によるテレビジョン装置の一実施例の構成を示すブロック図。
【図２】自動録画モードおよび自動字幕モードの制御を示すフローチャート（前半）。
【図３】自動録画モードおよび自動字幕モードの制御を示すフローチャート（後半）。
【図４】時間短縮再生として有効な５種の機能を説明する図。
【符号の説明】
【００４５】
チューナ１０２、復調部１０３、主制御部１０４、本体キー１０５、リモコン１０７、副制御部１０８、音声デコード部１０９、映像デコード部１１０、字幕デコード部１１１、音声制御部１１２、映像合成部１１３、字幕制御部１１４、番組情報処理部１１５、録画制御部１１６、録画装置１１７、スピーカ１１８、表示装置１１９。
【図１】
0005222543.tif 000002
【図２】
0005222543.tif 000003
【図３】
0005222543.tif 000004
【図４】
0005222543.tif 000005